(57)【要約】【課題】現像装置の現像剤に影響を与えることなく、キャリア現像を抑制する。【解決手段】カラープリンター１は、所定方向に回転する感光体ドラム１０と、感光体ドラム１０にトナー像を現像する現像装置１２と、感光体ドラム１０の回転方向において現像装置１２よりも下流側で感光体ドラム１０のトナー像の転写処理を行う一次転写部１３とを備える。また、カラープリンター１は、感光体ドラム１０の回転方向において一次転写部１３よりも上流側且つ現像装置１２よりも下流側で、現像装置１２の近傍の感光体ドラム１０の表面の転写前の照射位置に対向するように配置される導光体１６と、現像装置１２から離間して配置され、導光体１６に対して転写前除電光を出射する除電部１４とを備える。そして、導光体１６は、転写前除電光を集光して転写前の照射位置に照射する。【選択図】図２
2019039974.tif 000002
【特許請求の範囲】
【請求項１】
所定方向に回転する像担持体と、
前記像担持体にトナー像を現像する現像装置と、
前記像担持体の回転方向において前記現像装置よりも下流側で前記像担持体のトナー像の転写処理を行う転写部と、
前記像担持体の回転方向において前記転写部よりも上流側且つ前記現像装置よりも下流側で、前記現像装置の近傍の前記像担持体の表面の照射位置に対向するように配置される導光体と、
前記現像装置から離間していて前記導光体に対して転写前除電光を出射する除電部と、を備え、
前記導光体は、前記転写前除電光を集光して前記照射位置に照射することを特徴とする画像形成装置。
【請求項２】
前記導光体は、前記現像装置に近接して設けられることを特徴とする請求項１に記載の画像形成装置。
【請求項３】
前記導光体に取り付けられるトナー付着抑制部材を更に備えることを特徴とする請求項１又は２に記載の画像形成装置。
【請求項４】
所定方向に回転する中間転写ベルトと、
前記像担持体、前記現像装置、前記転写部及び前記導光体を備えていて、前記中間転写ベルトに沿って配置される複数の画像形成部と、を更に備え、
前記各画像形成部は、前記像担持体の回転方向において前記転写部よりも下流側で前記像担持体の残留トナーを除去するクリーニング部を更に備え、
一の前記画像形成部は、前記中間転写ベルトの回転方向において前記一の画像形成部よりも上流側に隣接する前記画像形成部が存在する場合、前記隣接する画像形成部において、前記像担持体の回転方向において前記クリーニング部よりも上流側且つ前記転写部よりも下流側で、前記像担持体の表面に転写後除電光を照射する転写後除電部を前記除電部として利用することを特徴とする請求項１〜３の何れか１項に記載の画像形成装置。
【発明の詳細な説明】
【技術分野】
【０００１】
本発明は、転写前に像担持体に除電光を照射する画像形成装置に関する。
【背景技術】
【０００２】
電子写真方式の画像形成装置は、感光体ドラム等の像担持体と、像担持体にトナー像を現像する現像装置と、像担持体上のトナー像を用紙や中間転写ベルト等の転写材に転写する転写部とを備えている。像担持体では、画像領域はトナーを付着させるために比較的低い電位に帯電される。画像形成装置が、トナーとキャリアとを含む二成分現像剤を使用する場合、キャリアはトナーとは逆極性に帯電されている。そのため、現像処理後の像担持体において、非画像領域の電位がトナーと同極成側に高くなると、現像装置内のキャリアが像担持体へと移行する現象（所謂、キャリア現像）が生じることがある。
【０００３】
これに対して、例えば、特許文献１に記載の画像形成装置は、現像部（現像装置）と、前除電発光部と、を備える。現像部は、トナー及びキャリアを含む磁気ブラシを担持し、回転する感光体（像担持体）の外周面における静電潜像が形成され得る有効外周面に磁気ブラシを接触させることにより静電潜像をトナー像へ現像する。前除電発光部は、感光体の有効外周面における磁気ブラシが接触する磁気ブラシ接触領域の一部から磁気ブラシ接触領域とトナー像の転写位置との間の領域までを含む除電対象領域（除電装置）に除電光を照射する。
【先行技術文献】
【特許文献】
【０００４】
【特許文献１】特開２０１６−１０９８８５号公報
【発明の概要】
【発明が解決しようとする課題】
【０００５】
現像後（転写前）の像担持体の除電では、像担持体の表面を狭い範囲で除電するために、除電光の出射位置をできるだけ像担持体の表面に近づけるように除電部が配置され、例えば、現像装置の近傍に配置されることが望ましい。しかしながら、除電部が現像装置の近傍に配置されると、除電部の除電光生成時の発熱によって、現像装置の内部及び周辺の現像剤が加熱されて凝固するおそれがある。凝固した現像剤は、現像装置の駆動を阻害したり、現像装置への侵入によって画像ノイズを発生させたりするおそれがある。
【０００６】
そこで、本発明は上記事情を考慮し、現像装置の現像剤に影響を与えることなく、キャリア現像を抑制することを目的とする。
【課題を解決するための手段】
【０００７】
本発明の画像形成装置は、所定方向に回転する像担持体と、前記像担持体にトナー像を現像する現像装置と、前記像担持体の回転方向において前記現像装置よりも下流側で前記像担持体のトナー像の転写処理を行う転写部と、前記像担持体の回転方向において前記転写部よりも上流側且つ前記現像装置よりも下流側で、前記現像装置の近傍の前記像担持体の表面の照射位置に対向するように配置される導光体と、前記現像装置から離間して配置され、前記導光体に対して転写前除電光を出射する除電部と、を備え、前記導光体は、前記転写前除電光を集光して前記照射位置に照射することを特徴とする。
【０００８】
前記導光体は、前記現像装置に近接して設けられるとよい。
【０００９】
前記導光体に取り付けられるトナー付着抑制部材を備えると更によい。
【００１０】
上記の画像形成装置は、所定方向に回転する中間転写ベルトと、前記像担持体、前記現像装置、前記転写部及び前記導光体を備えていて、前記中間転写ベルトに沿って配置される複数の画像形成部と、を更に備え、前記各画像形成部は、前記像担持体の回転方向において前記転写部よりも下流側で前記像担持体の残留トナーを除去するクリーニング部を更に備え、一の前記画像形成部は、前記中間転写ベルトの回転方向において前記一の画像形成部よりも上流側に隣接する前記画像形成部が存在する場合、前記隣接する画像形成部において、前記像担持体の回転方向において前記クリーニング部よりも上流側且つ前記転写部よりも下流側で、前記像担持体の表面に転写後除電光を照射する転写後除電部を前記除電部として利用するとよい。
【発明の効果】
【００１１】
本発明によれば、現像装置の現像剤に影響を与えることなく、キャリア現像を抑制することが可能となる。
【図面の簡単な説明】
【００１２】
【図１】本発明の一実施形態に係るカラープリンターを示す断面図である。
【図２】本発明の一実施形態に係るカラープリンターにおける画像形成部を示す断面図である。
【図３】本発明の一実施形態に係るカラープリンターにおける除電部を示す斜視図である。
【図４】本発明の一実施形態に係るカラープリンターにおける導光体を示す斜視図である。
【図５】本発明の一実施形態に係るカラープリンターにおける導光体を示す断面図である。
【発明を実施するための形態】
【００１３】
先ず、本発明の一実施形態に係るカラープリンター１（画像形成装置）の全体の構成について図１を参照しながら説明する。以下、説明の便宜上、図１における紙面手前側をカラープリンター１の前側とする。各図に適宜付される矢印Ｌ、Ｒ、Ｕ、Ｌｏ、Ｆｒ、Ｒｒは、それぞれカラープリンター１の左側、右側、上側、下側、前側、後側を示している。
【００１４】
カラープリンター１は、略箱型状のプリンター本体２を備え、プリンター本体２内の下部には用紙を収納した給紙カセットが設けられ、プリンター本体２の上部には排紙トレイが設けられる。
【００１５】
プリンター本体２内の中央部には、所定方向に回転する環状の中間転写ベルト３が複数のローラー間に架設され、中間転写ベルト３の下側には、４つの画像形成部５がトナーの色（例えば、イエロー、マゼンタ、シアン、ブラックの４色）毎に設けられる。本実施形態のカラープリンター１は、トナーとキャリアとからなる二成分現像剤を利用する。４つの画像形成部５の下方には、レーザー・スキャニング・ユニット（ＬＳＵ）で構成される露光ユニットが配置される。中間転写ベルト３の右端には、二次転写部６が設けられ、中間転写ベルト３の左端には、中間転写ベルト３を清掃するためのクリーニングユニット７が設けられる。二次転写部６は、中間転写ベルト３の右端側の一部と二次転写ローラーとで構成される。
【００１６】
各画像形成部５には、図１及び図２に示すように、感光体ドラム１０（像担持体）が回転可能に設けられる。感光体ドラム１０は、例えば、前後方向に長い円柱状に形成され、前後方向が感光体ドラム１０の軸方向である。感光体ドラム１０の周囲には、帯電器１１と、現像装置１２と、一次転写部１３（転写部）と、除電部１４と、クリーニング部１５とが、電子写真のプロセス順に配置されている。また、各画像形成部５には、導光体１６が備えられる。
【００１７】
プリンター本体２内の現像装置１２の上方には、各画像形成部５と対応する現像剤容器（トナーコンテナ）が、トナーの色（例えば、イエロー、マゼンタ、シアン、ブラックの４色）毎に設けられている。各現像剤容器は、各色のトナーを収容し、各現像装置１２は各色のトナーを含有する二成分現像剤を収容する。一次転写部１３は、中間転写ベルト３の一部と一次転写ローラー１３ａとで構成され、一次転写ローラー１３ａは、中間転写ベルト３を挟んで感光体ドラム１０の上側表面と対向して配置される。
【００１８】
プリンター本体２内の一側（図面上右側）には、用紙の搬送経路１７が上下方向に設けられている。搬送経路１７の上流端には給紙部が設けられ、搬送経路１７の中流部には上記の二次転写部８が設けられ、搬送経路１７の下流部には定着装置が設けられ、搬送経路１７の下流端には排紙口が設けられる。
【００１９】
次に、上記のようなカラープリンター１の画像形成動作について説明する。先ず、各画像形成部５において、感光体ドラム１０が、帯電器１１によって帯電された後、露光ユニットによって画像データに基づいて露光されることで、感光体ドラム１０上に静電潜像が形成される。感光体ドラム１０上の静電潜像は、現像装置１２によって各色のトナー像に現像される。感光体ドラム１０上のトナー像は、一次転写部１３によって中間転写ベルト３の表面に一次転写される。なお、感光体ドラム１０上に残留した電荷及びトナーは、除電部１４及びクリーニング部１５によって除去される。以上の動作を４つの画像形成部５が順次繰り返すことによって、中間転写ベルト３上にフルカラーのトナー像（カラートナー像）が形成される。カラートナー像は、中間転写ベルト３の回転によって、所定のタイミングで二次転写部８へと供給される。
【００２０】
一方、給紙カセットに収納された用紙は、給紙部によって取り出されて搬送経路１７上を搬送される。搬送経路１７上の用紙は、カラートナー像とタイミングを合わせて二次転写部８へと搬送される。二次転写部８では、中間転写ベルト３上のカラートナー像が用紙に二次転写される。カラートナー像を二次転写された用紙は、搬送経路１７において定着装置へと搬送されて、定着装置によってカラートナー像が用紙に定着される。その後、カラートナー像が定着された用紙は、排紙部から排紙トレイへと排出される。
【００２１】
次に、除電部１４について、図２及び図３を参照しながら説明する。一の画像形成部５において、除電部１４は、中間転写ベルト３の回転方向において感光体ドラム１０の下流側に配置されている。また、除電部１４は、感光体ドラム１０の回転方向において一次転写部１３の下流側且つクリーニング部１５の上流側に配置されている。例えば、除電部１４は、クリーニング部１５の筐体に取り付けられてよい。
【００２２】
そして、除電部１４は、感光体ドラム１０の回転方向において、一次転写部１３の下流側且つクリーニング部１５の上流側で感光体ドラム１０の表面の照射位置（即ち、転写後の照射位置）に対して除電光を出射する。換言すれば、除電部１４は、転写後の感光体ドラム１０の表面に対して転写後除電光を出射する転写後除電部として機能する。これにより、転写後除電部としての除電部１４は、一次転写部１３による一次転写後に、感光体ドラム１０の表面の電位を除電（転写後除電）する。
【００２３】
更に、一の画像形成部５の除電部１４は、中間転写ベルト３の回転方向において、一の画像形成部５の下流側の他の画像形成部５（下流側の画像形成部５）の感光体ドラム１０の上流側に配置されている。また、一の画像形成部５の除電部１４は、下流側の画像形成部５の感光体ドラム１０の回転方向において現像装置１２の下流側且つ一次転写部１３の上流側に配置されていて、特に、現像装置１２から離間して配置される。
【００２４】
そして、一の画像形成部５の除電部１４は、下流側の画像形成部５の感光体ドラム１０の回転方向において、現像装置１２の下流側且つ一次転写部１３の上流側で、現像装置１２の近傍の感光体ドラム１０の表面の照射位置（即ち、転写前の照射位置）に対して除電光を出射する。換言すれば、一の画像形成部５の除電部１４は、下流側の画像形成部５の転写前の感光体ドラム１０の表面に対して転写前除電光を出射する転写前除電部として機能する。これにより、転写前除電部としての除電部１４は、一次転写部１３による一次転写前に、感光体ドラム１０の表面の電位を除電（転写前除電）する。
【００２５】
例えば、除電部１４は、導光部材２０と光源２１とから構成される。導光部材２０は、前後方向に長い形状を有し、感光体ドラム１０に対向して配置される。導光部材２０は、感光体ドラム１０（転写後の照射位置）と対向する出射面２０ａ（中間転写ベルト３の回転方向において上流側の面）と、出射面２０ａとは反対側の反射面２０ｂ（中間転写ベルト３の回転方向において下流側の面）とを有する。例えば、導光部材２０は、複数のプリズム等の反射部を有して構成される。光源２１は、導光部材２０の長手方向の一方側（例えば、前側）に設けられ、導光部材２０の一方側の端部に除電光を入射するＬＥＤ等で構成される。
【００２６】
そして、一の画像形成部５の除電部１４は、光源２１から入射されて導光部材２０の出射面２０ａから出射される転写後除電光を、一の画像形成部５の感光体ドラム１０の表面（転写後の照射位置）に向けて照射する。また、一の画像形成部５の除電部１４は、光源２１から入射されて導光部材２０の反射面２０ｂから出射される転写前除電光を、中間転写ベルト３の回転方向において下流側の画像形成部５の感光体ドラム１０の表面（転写前の照射位置）に向けて照射する。
【００２７】
なお、中間転写ベルト３の回転方向において最下流側の画像形成部５に関して、最下流側の画像形成部５よりも下流側の画像形成部５がないので、除電部１４は、転写前除電部として機能しなくてもよい。また、中間転写ベルト３の回転方向において最上流側の画像形成部５に関して、最上流側の画像形成部５よりも上流側の画像形成部５がないので、転写前除電部として機能する除電部１４を別個に備えてもよい。
【００２８】
次に、導光体１６について、図２、図４及び図５を参照しながら説明する。一の画像形成部５において、導光体１６は、感光体ドラム１０の回転方向において現像装置１２の下流側且つ一次転写部１３の上流側に配置されている。特に、一の画像形成部５の導光体１６は、中間転写ベルト３の回転方向において一の画像形成部５の上流側の他の画像形成部５（上流側の画像形成部５）の転写後除電部としての除電部１４と、一の画像形成部５の感光体ドラム１０との間に配置される。また、一の画像形成部５の導光体１６は、一の画像形成部５の現像装置１２に近接して配置され、例えば、現像装置１２の筐体に取り付けられてもよい。
【００２９】
導光体１６は、前後方向に長い形状を有し、例えば、平行な短辺及び長辺を有する台形状の断面を有して形成される。導光体１６の断面は、線対称な台形状でもよい。そして、導光体１６は、台形の短辺を有する前後方向に長い第１面１６ａと、台形の長辺を有する前後方向に長い第２面１６ｂとを有する。導光体１６は、第１面１６ａを現像装置１２に近接させると共に、感光体ドラム１０の表面に対向させて配置される。また、一の画像形成部５の導光体１６は、第２面１６ｂを上流側の画像形成部５の除電部１４に対向させて配置される。これにより、導光体１６は、上流側の画像形成部５の除電部１４から出射された転写前除電光を第２面１６ｂで集光して、第１面１６ａから一の画像形成部５の感光体ドラム１０の表面に照射する。
【００３０】
また、導光体１６は、図５に示すように、トナー付着抑制部材２２を備える。トナー付着抑制部材２２は、前後方向に長い板状又はフィルム状の部材である。例えば、トナー付着抑制部材２２は、０．０５〜０．１ｍｍの厚みを有するＰＥＴ等の材料で形成され、先端の位置が変動しない、ある程度硬いフィルムで構成される。トナー付着抑制部材２２は、導光体１６の第１面１６ａ及び第２面１６ｂを除いて、導光体１６の台形の一対の脚をそれぞれ有する前後方向に長い一対の側面１６ｃを覆うように、接着等によって導光体１６に取り付けられる。例えば、トナー付着抑制部材２２は、導光体１６の第１面１６ａ及び第２面１６ｂを除いて、導光体１６を周回するように取り付けられてもよい。また、トナー付着抑制部材２２は、一対の側面１６ｃに沿って（例えば、一対の側面１６ｃに平行に）第１面１６ａよりも外側に突出して設けられる。そのため、トナー付着抑制部材２２は、第１面１６ａを覆うことなく、感光体ドラム１０側及び現像装置１２側から第１面１６ａを遮蔽している。これにより、トナー付着抑制部材２２は、感光体ドラム１０側及び現像装置１２側から第１面１６ａに向かって飛び散るトナーを遮断し、即ち、庇の機能を有する。なお、トナー付着抑制部材２２は、第２面１６ｂよりも外側に突出して設けられてもよいが、第２面１６ｂは感光体ドラム１０及び現像装置１２の表面から離間しているため、トナー付着抑制部材２２は、第２面１６ｂよりも外側に突出していなくてもよい。
【００３１】
本実施形態によれば、上述のように、カラープリンター１（画像形成装置）は、所定方向に回転する感光体ドラム１０（像担持体）と、感光体ドラム１０にトナー像を現像する現像装置１２と、感光体ドラム１０の回転方向において現像装置１２よりも下流側で感光体ドラム１０のトナー像の転写処理を行う一次転写部１３（転写部）と、を備える。また、カラープリンター１は、感光体ドラム１０の回転方向において一次転写部１３よりも上流側且つ現像装置１２よりも下流側で、現像装置１２の近傍の感光体ドラム１０の表面の転写前の照射位置に対向するように配置される導光体１６と、現像装置１２から離間して配置され、導光体１６に対して転写前除電光を出射する除電部１４と、を備える。そして、導光体１６は、転写前除電光を集光して転写前の照射位置に照射する。
【００３２】
このような構成とすることにより、現像装置１２内の現像剤のキャリアが感光体ドラム１０へと移行する現象（所謂、キャリア現像）を抑制する転写前除電の構成において、導光体１６を設置することによって、除電部１４を現像装置１２から離間して配置することができる。そのため、転写前除電光の生成時の発熱に起因する現像装置１２の内部及び周辺の現像剤の加熱及び凝固を抑制することが可能となる。これにより、凝固した現像剤に起因する現像装置１２の駆動の阻害や、凝固した現像剤の現像装置１２への侵入に起因する画像ノイズの発生を抑制することが可能となる。このように、現像装置１２の現像剤に影響を与えることなく、キャリア現像を抑制することが可能となる。
【００３３】
また、本実施形態によれば、導光体１６は、現像装置１２に近接して設けられてよい。即ち、転写前除電光の出射位置を現像装置１２に近接させることができる。本実施形態では、導光体１６による熱の影響を考慮する必要がないので、このような構成を採用することができる。これにより、転写前除電光の出射位置が現像装置１２から離間している構成に比べて、転写前除電光を拡散させずに現像装置１２の近傍で感光体ドラム１０に集中させることができる。そのため、転写前除電光の光量を減少させても、十分な光量の転写前除電光を感光体ドラム１０の必要な部分にだけ照射することができ、転写前除電光の光量の増加に起因する転写チリを抑制することができる。
【００３４】
また、本実施形態によれば、カラープリンター１は、導光体１６に取り付けられるトナー付着抑制部材２２を更に備えてよい。本実施形態では、導光体１６による熱の影響を考慮する必要がないので、このような構成を採用することができる。これにより、転写前除電光の生成時の発熱に起因するトナー付着抑制部材２２の熱変形を抑制することが可能となる。そのため、導光体１６が現像装置１２の近傍に配置された場合でも、現像装置１２から導光体１６へのトナーの付着を抑制することが可能となる。例えば、トナー付着抑制部材２２は、第１面１６ａを覆うことなく、感光体ドラム１０側及び現像装置１２側から第１面１６ａを遮蔽することにより、感光体ドラム１０側及び現像装置１２側から第１面１６ａに向かって飛び散るトナーを遮断することができる。そのため、トナー付着抑制部材２２は、感光体ドラム１０及び現像装置１２に近接した導光体１６の第１面１６ａへのトナー付着を抑制することができる。そして、導光体１６は、トナー付着の影響を受けることなく、転写前除電光を適切に感光体ドラム１０へ照射することができる。
【００３５】
また、本実施形態によれば、カラープリンター１は、所定方向に回転する中間転写ベルト３と、感光体ドラム１０、現像装置１２、一次転写部１３及び導光体１６を備えていて、中間転写ベルト３に沿って配置される複数の画像形成部５と、を更に備える。各画像形成部５は、感光体ドラム１０の回転方向において一次転写部１３よりも下流側で感光体ドラム１０の残留トナーを除去するクリーニング部１５を更に備える。一の画像形成部５は、中間転写ベルト３の回転方向において一の画像形成部５よりも上流側に隣接する画像形成部５が存在する場合、この隣接する画像形成部５において、感光体ドラム１０の回転方向においてクリーニング部１５よりも上流側且つ一次転写部１３よりも下流側で、感光体ドラム１０の表面に転写後除電光を照射する転写後除電部として設けられる除電部１４を、一の画像形成部５の転写前除電部として利用する。
【００３６】
これにより、一の除電部１４が、転写後除電部と転写前除電部とを兼ねて構成されるので、転写前除電の専用の除電部１４の設置を抑制することができ、部品点数を少なくして製品コストを抑えることができる。
【００３７】
なお、本実施形態では、転写前除電部としての除電部１４が、現像装置１２から離間していて導光体１６に対向するように配置される場合、例えば、上流側の画像形成部５に設けられる場合に、除電部１４が導光部材２０と光源２１とから構成される例を説明したが、除電部１４はこの例に限定されない。例えば、このような共用の除電部１４は、複数の転写前除電用光源を導光体１６に対向させて感光体ドラム１０の軸方向に並べると共に、複数の転写後除電用光源を感光体ドラム１０の転写後の照射位置に向けて感光体ドラム１０の軸方向に並べて構成されてもよい。この場合、複数の転写前除電用光源から出射された転写前除電光が、導光体１６を介して、感光体ドラム１０の転写前の照射位置に照射される。
【００３８】
また、本実施形態では、転写前除電部としての除電部１４が、現像装置１２から離間していて導光体１６に対向するように配置される例を説明したが、転写前除電部としての除電部１４は、この例に限定されない。例えば、転写前除電部としての除電部１４は、導光体１６と、導光体１６の長手方向端部に設けられた転写前除電用光源とから構成されてもよい。この場合、転写前除電用光源から出射された転写前除電光が、導光体１６を介して、感光体ドラム１０の転写前の照射位置に照射される。また、このような転写前除電部としての除電部１４は、上流側の転写後除電部としての除電部１４に利用されてもよく、上流側の転写後除電部としての除電部１４を利用しない別個の機器で構成されてもよい。即ち、転写前除電部としての除電部１４は、現像装置１２の内部及び周辺の現像剤の加熱及び凝固を抑制するように、現像装置１２から離間して配置されればよい。
【００３９】
なお、カラープリンター１では、中間転写ベルト３の回転方向において複数の感光体ドラム１０よりも最上流側にクリーニングユニット７が設けられる。従って、複数の感光体ドラム１０の内、最上流側の感光体ドラム１０にはクリーニングされた中間転写ベルト３が到達して中間転写ベルト３上には残存トナーがない状態となっている。そのため、この最上流側の感光体ドラム１０の一次転写効率が高く、転写前除電光源を必要としないので、転写前除電部としての除電部１４を備えなくてもよい。
【００４０】
本実施形態では、カラープリンター１に本発明の構成を適用する場合について説明したが、他の異なる実施形態では、複写機、ファクシミリ、複合機等の、複数の感光体ドラム１０を備える他の画像形成装置に本発明の構成を適用することも可能である。
【符号の説明】
【００４１】
１  カラープリンター（画像形成装置）
３  中間転写ベルト
５  画像形成部
７  クリーニングユニット
１０  感光体ドラム（像担持体）
１２  現像装置
１３  一次転写部（転写部）
１４  除電部
１５  クリーニング部
１６  導光体
１６ａ  第１面
１６ｂ  第２面
２０  導光部材
２１  光源
２２  トナー付着抑制部材
【図１】
2019039974.tif 000003
【図２】
2019039974.tif 000004
【図３】
2019039974.tif 000005
【図４】
2019039974.tif 000006
【図５】
2019039974.tif 000007